(57)【要約】【課題】観音開き扉の貯蔵室の動作状態などを合理的に表示し得るようにした物品貯蔵庫を提供する。【解決手段】物品貯蔵庫１００の貯蔵室８１の扉８１Ｂに設けた裏当部分Ｕ３は観音開き扉８１Ａ・８１Ｂを閉じたときに扉間８１Ｃの通気を遮断する。扉間８１Ｃの隙間ｇ１の箇所に単一の電気的光源２１Ａまたは複数の電気的光源２１Ａ〜２１Ｅによる表示部分２１を配置する。これらの光源を内部状態の検出部分７１〜７４の検出出力または内部の状態を電気的に制御する制御部分６０の制御状態に対応させて制御する。裏当部分Ｕ３を転向可能にして開扉時には裏当部分Ｕ３を扉８１Ｂの背面側に転向させた〔裏当転向状態〕にする。閉扉時には他方の扉８１Ａの背面側に転向させた〔裏当正規状態〕にする。裏当部分Ｕ３を扉８１Ｂに固定した貯蔵室８１にも適用できる。当部分Ｕ３を貯蔵室８１の前縁に固定した貯蔵室８１にも適用できる。【選択図】      図１
2004360985.tif 000002
【特許請求の範囲】
【請求項１】
物品を貯蔵する貯蔵室に観音開きする扉を設けた物品貯蔵庫であって、
前記観音開きを閉じたときの扉間の通気を前記扉の背面側に配置した裏当部分によって遮断するとともに、前記裏当部分の前記扉間の隙間の箇所に単一または複数の電気的光源による表示部分を配置する表示手段と、
前記貯蔵室の内部の状態を検出して得られる検出出力にもとづいて前記電気的光源を制御する電気的光源制御手段と
を具備することを特徴とする物品貯蔵庫。
【請求項２】
物品を貯蔵する貯蔵室に観音開きする扉を設けた物品貯蔵庫であって、
前記観音開きを閉じたときの扉間の通気を前記扉の背面側に配置した裏当部分によって遮断するとともに、前記裏当部分の前記扉間の隙間の箇所に単一または複数の電気的光源による表示部分を配置する表示手段と、
前記貯蔵室の内部の状態を電気的に制御するとともに、前記制御の制御状態にもとづいて前記電気的光源を制御する電気的光源制御手段と
を具備することを特徴とする物品貯蔵庫。
【請求項３】
前記裏当部分を前記扉の一方の扉の背面側に転向可能に配置するとともに、前記扉を閉じた状態では前記裏当部分を前記扉の背面部分に裏当てにした状態にし、また、前記扉が開いた状態では、前記裏当部分を前記裏当てにした状態とは異なる方向に転向するための転向機構を設けたことを特徴とする請求項１または請求項２記載の物品貯蔵庫。
【請求項４】
前記裏当部分を前記貯蔵室の本体側に固定して配置したことを特徴とする請求項１または請求項２記載の物品貯蔵庫。
【請求項５】
前記裏当部分を前記扉の一方の扉の背面側に固定して配置したことを特徴とする請求項１または請求項２記載の物品貯蔵庫。
【発明の詳細な説明】
【０００１】
【発明の属する技術分野】
この発明は、物品を貯蔵する貯蔵室を有する物品貯蔵庫に関するものである。なお、この発明において、物品貯蔵庫とは、貯蔵室内の空気と室外の空気とを遮断して、物品を冷却、加温、殺菌、脱臭、または、これらのうちの任意の複数の動作を行いながら貯蔵する貯蔵室を有する貯蔵庫などの総称である。
【０００２】
また、上記の冷却には、冷却対象とする物品を凍結させない状態の所定の温度に冷却する構成、すなわち、一般に冷蔵と言われるものと、冷却対象とする物品を凍結させるように冷却する構成、すなわち、一般に冷凍と言われるものと、後者の凍結を不完全な冷凍状態に冷却する構成、すなわち、弱冷凍と言われるものとがある。
【０００３】
そして、この発明では、これらの冷却のうちの１つの冷却、または、これらのうちの任意の複数の冷却を組み合わせた冷却を総称して冷却というのである。したがって、これらの冷蔵・冷凍・弱冷凍の構成のうちの１つの構成、または、これらのうちの任意の複数の構成を組み合わせた構成をもつ冷却庫は、物品貯蔵庫の一種に属することになるものである。
【０００４】
【従来の技術】
こうした物品貯蔵庫において、貯蔵室に観音開きによる扉を設けた物品貯蔵庫の構成として、図６のような物品貯蔵庫１００の構成（以下、第１従来技術という）が周知である。なお、以下に説明する各図において、同一の符号で示す部分は、いずれかの図によって説明する同一符号の部分と同一の機能をもつ部分である。また、部材とは、所定の部分を構成する単一の構成材、または、複数の構成材を組み合わせた構成材をいうものである。
【０００５】
図６において、物品貯蔵庫１００は適宜に設けられた各仕切壁部分（図示せず）で仕切られた複数の貯蔵室８１・８２・８３・８４を設けて構成されており、貯蔵室８１は観音開きによる扉８１Ａ・８１Ｂをヒンジ部分８１ｘを支点にして扉８１Ａ・８１Ｂのいずれか一方または両方を観音開きして開閉することにより物品を出し入れする貯蔵室（以下、観音開き貯蔵室という）にしてあり、また、貯蔵室８２・８３・８４はそれぞれ前蓋８２Ａ・８３Ａ・８４Ａとともに引き出される引出部分（図示せず）に物品を出し入れする貯蔵室（以下、引出貯蔵室という）にしてある。
【０００６】
図６の構成では、観音開き貯蔵室８１を上段側に設け、引出貯蔵室８２〜８４を中段・下段側に配置しているが、観音開き貯蔵室８１を中段または下段に配置した物品貯蔵庫１００の構成（以下、第２従来技術という）も周知である。さらに、図１０のように、単一の観音開き貯蔵室８１のみを設けた物品貯蔵庫１００の構成（以下、第３従来技術という）や、図１０の観音開き貯蔵室８１を複数段重ねた物品貯蔵庫１００の構成（以下、第４従来技術という）も周知である。
【０００７】
なお、各貯蔵室８１〜８４の扉８１Ａ・８１Ｂ・前蓋８２Ａ・８３Ａ・８４Ａと、各貯蔵室８１〜８４の本体８５と合わせ目の間には、実際には、各貯蔵室８１〜８４の内部の空気と室外の空気とを遮断するためのガスケット（パッキングとも言う）を設けてあるが、その図示を省略して、図面を簡略化してある。
【０００８】
そして、物品貯蔵庫１００の各貯蔵室８１〜８４の内部の状態、例えば、室温の状態を検出するための検出部分７１〜７４、例えば、サーミスタを配置してある。また、検出部分７１〜７４の検出出力にもとづいて、各貯蔵室８１〜８４の内部の状態、例えば、室温の状態を制御する制御部分６０を配置してある。さらに、その状態に変化を与えるための機能部分５０、例えば、圧縮冷凍機能部分を配置してある。
【０００９】
ここで、観音開き貯蔵室８１の扉８１Ａ・８１Ｂを閉じたとの扉８１Ａと扉８１Ｂとの扉間８１Ｃを密着させることは、構造が複雑になるほか、扉８１Ａ・８１Ｂ自体の開閉も困難になるので、故意に隙間ｇ１を明けてある。このため、図７〜図９のような構成で、隙間８１Ｃからの通気を閉塞している。
【００１０】
そして、図７の構成、つまり、〔本体付け裏当型〕の構成（以下、第５従来技術という）では、隙間ｇ１に相当する箇所に、扉８１Ａ・８１Ｂの背面側８１ａ・８１ｂに裏当て状に位置付けられるようにした中柱状の裏当部分Ｕ１を、観音開き貯蔵室８１の上面側の壁部８５Ａと下面側の壁部８５Ｂとの前縁部分に固定してある。
【００１１】
そして、裏当部分Ｕ１の幅Ｂ１を、隙間ｇ１の両側に、扉８１Ａ・８１Ｂの背面側に設けたガスケット（図示せず）が接して閉じる幅Ｂｘを設けた幅にすることによって、扉８１Ａ・８１Ｂを閉じたときには、隙間ｇ１を除く部分が裏当部分Ｕ１によって閉塞されるようにしている。この〔本体付け裏当型〕の構成では、裏当部分Ｕ１が常に中柱状に配置されているため、物品の出し入れの邪魔になるが、構成が簡便・堅牢で安価に構成し得る。なお、貯蔵室８１の内部には、必要に応じて、整理棚Ｔｘを設けている。
【００１２】
次に、図９の構成、つまり、〔扉付け固定裏当型〕の構成（以下、第６従来技術という）では、図７の構成における裏当部分Ｕ１に代えて、裏当部分Ｕ１と同様の裏当部分Ｕ２を、一方の扉、例えば、扉８１Ｂの背面側８１ｂに裏当てされる裏当部分Ｕ２ｂに固定するように変更したものである。
【００１３】
そして、扉８１Ｂを先に閉じて扉８１Ａを後に閉じると、裏当部分Ｕ２の他方の裏当部分Ｕ２ａが他方の扉８１Ａの閉じる側の背面側８１ａに裏当てされた状態になり、隙間ｇ１の部分を除く部分が裏当部分Ｕ２によって閉塞される。この〔扉付け固定裏当型〕の構成では、扉８１Ａ・８１Ｂの閉じ方の順序を間違えると、扉８１Ａ・８１Ｂを閉じることができないが、後記の図８の〔扉付け回転裏当型〕の構成に比べると、構成が簡便・安価である。
【００１４】
さらに、図８の構成、つまり、〔扉付け回転裏当型〕の構成（以下、第７従来技術という）では、図９の構成における裏当部分Ｕ２に代えて、裏当部分Ｕ２と同様の裏当部分Ｕ３を、一方の扉、例えば、扉８１Ｂの背面側８１ｂに配置した支点ｐ１を中心にして、水平面内で９０°程度だけ転向できるように組み付けるとともに、裏当部分Ｕ２の上端側と下端側とに、水平面内で湾曲した案内溝ｍ１を設けておき、また、この案内溝ｍ１に対応する位置であって、貯蔵室８１の上面側の壁部８５Ａと下面側の壁部８５Ｂとの前側の位置に、案内溝ｍ１を入れ込んで、転向させるための案内用突起ｎ１を配置した転向機構３０を設けたものである。
【００１５】
したがって、扉８１Ａの先に閉じて扉８１Ｂを後に閉じた場合でも、または、扉８１Ａを閉じたままの場合でも、裏当部分Ｕ３が図８の〔裏当転向状態〕のように転向した姿勢で閉じられながら案内溝ｍ１が案内用突起ｎ１に入り込んで、図８の〔裏当正規状態〕のように裏当部分Ｕ３が回され、扉８１Ａ・８１Ｂの両方の背面側８１ａ・８１ｂに裏当てされて、隙間ｇ１を除く部分が裏当部分Ｕ３によって閉塞される。
【００１６】
また、扉８１Ａを閉じたままで、扉８１Ｂを開いた場合には、案内溝ｍ１が案内用突起ｎ１に案内されながら裏当部分Ｕ３が転向して扉８１Ｂが開くため、扉８１Ａに何らの影響も与えずに、扉８１Ｂを開くことができるので、使用者にとって、至極、便利であるが、構成が複雑で高価なものになる。
【００１７】
【特許文献１】
特開２０００−４６４５９号公報
特許文献１は第７従来技術を開示している。
【００１８】
【発明が解決しようとする課題】
上記の第１従来技術〜第７従来技術による物品貯蔵庫１００では、各貯蔵室８１〜８４の内部の状態、例えば、検出部分７１〜７４で検出している検出状態や、制御部分６０の制御状態などを、殆どの場合、表示していない。
【００１９】
また、それを表示する場合には、扉８１Ａ・８１Ｂ・前蓋８２Ａ・８３Ａ・８４Ａとは別の表示パネルとする部分を前面側に設けるか、または、扉８１Ａ・８１Ｂのいずれか一方に設ける必要がある。
【００２０】
しかし、前者による表示では、そのための占有部分を前面に設けなければならないので、前面における貯蔵室８１〜８４の配置利用率が低下し、使用者にとって好ましくなく、後者による表示では、当該表示部分を扉８１Ａ・８１Ｂのいずれかに掘り込んで設けなければならず、表示部分が故障した際には、扉８１Ａまたは８１Ｂの部分を分解して保守しなければならないなどの不都合がある。
このため、これらの不都合をなくした物品貯蔵庫の提供が望まれているという課題がある。
【００２１】
【課題を解決するための手段】
この発明は、上記のような物品を貯蔵する貯蔵室に観音開きする扉を設けた物品貯蔵庫において、次の構成を設けることにより、上記の課題を解決したものである。
【００２２】
そして、第１の構成は、
上記の観音開きを閉じたときの扉間の通気を上記の扉の背面側に配置した裏当部分によって遮断するとともに、上記の裏当部分の上記の扉間の隙間の箇所に単一または複数の電気的光源による表示部分を配置する表示手段と、
上記の貯蔵室の内部の状態を検出して得られる検出出力にもとづいて上記の電気的光源を制御する電気的光源制御手段と
を設けて構成したものである。
【００２３】
第２の構成は、上記の第１の構成における電気的光源制御手段に代えて、
上記の貯蔵室の内部の状態を電気的に制御するとともに、この制御の制御状態にもとづいて上記の電気的光源を制御する電気的光源制御手段
を設けて構成したものである。
【００２４】
第３の構成は、上記の第１の構成・第２の構成において、
上記の裏当部分を上記の扉の一方の扉の背面側に転向可能に配置するとともに、上記の扉を閉じた状態では上記の裏当部分を上記の扉の背面部分に裏当てにした状態にし、また、上記の扉が開いた状態では、上記の裏当部分を上記の裏当てにした状態とは異なる方向に転向するための転向機構を設けて構成したものである。
【００２５】
第４の構成は、上記の第１の構成・第２の構成において、
上記の裏当部分を上記の貯蔵室の本体側に固定して配置した構成を設けて構成したものである。
【００２６】
第５の構成は、上記の第１の構成・第２の構成において、
上記の裏当部分を上記の扉の一方の扉の背面側に固定して配置した構成を設けて構成したものである。
【００２７】
【発明の実施の形態】
この発明の実施の形態として、この発明を上記の第５従来技術〜第７従来技術の構成に適用した実施例を説明する。
【００２８】
【実施例】
〔第１実施例〕
以下、図１〜図３・図８により第１実施例を説明する。この第１実施例の構成が上記図８の第７従来技術による〔扉付け回転裏当型〕の構成と異なる箇所は次の箇所である。
【００２９】
第１には、裏当部分Ｕ３の隙間ｇ１の箇所に、１つの電気的光源２１Ａ、例えば、発光ダイオード、すなわち、ＬＥＤによる表示部分２１を設けて構成した箇所、つまり、図１の複数の電気的光源２１Ａ〜２１Ｅのうちの１つのみを設けて構成した箇所である。
【００３０】
第２には、貯蔵室８１の内部の状態を検出して得られる検出出力、例えば、温度状態を検出部分７１で検出して得られた検出出力もとづいて上記の電気的光源２１Ａを制御、例えば、発光ダイオードに与える電圧（図示せず）を制御部分６０により制御して、電気的光源７１Ａの発光輝度または発光色を制御するように構成した箇所である。
【００３１】
第３には、上記の第１における１つの電気的光源２１Ａに代えて、複数の電気的光源２１Ａ〜２１Ｅ、例えば、複数の発光色の異なる発光ダイオード（ＬＥＤ）による表示部分２１を設けて構成した箇所である。
【００３２】
第４には、貯蔵室８１の内部の状態を制御、例えば、温度状態を調節する圧縮冷凍機能部分５０の制御をマイクロコンピュータによる制御部分６０で制御するようにした箇所である。
【００３３】
第５には、上記の制御部分６０の制御状態にもとづいて、例えば、圧縮冷凍機能部分５０の運転状態または停止状態などに対応させて、上記の１つの電気的光源２１Ａまたは上記の図１の複数の電気的光源２１Ａ〜２１Ｅを任意の複数にした光源を制御するようにした箇所である。
【００３４】
つまり、この第１実施例の構成は、概括的には、第１には、
上記のような物品を貯蔵する貯蔵室８１に観音開きする扉８１Ａ・８１Ｂを設けた物品貯蔵庫１００において、
上記の観音開きを閉じたときの扉間８１Ｃの通気、すなわち、貯蔵室８１に対する通気を、上記の扉８１・８１Ｂの背面側８１ａ・８１ｂに配置した裏当部分、例えば、裏当部分Ｕ３によって遮断するとともに、上記の裏当部分Ｕ３の上記の扉間８１Ｃの隙間ｇ１の箇所に単一または複数の電気的光源、例えば、１つの電気的光源２１Ａまたは複数の電気的光源２１Ａ〜２１Ｅによる表示部分２１を配置する表示手段と、
上記の貯蔵室８１の内部の状態を検出して得られる検出出力、例えば、温度状態を検出部分７１〜７４で検出して得られる検出出力にもとづいて上記の電気的光源２１Ａ〜２１Ｅを制御する電気的光源制御手段と
を設けて構成した上記の第１の構成を構成していることになるものである。
【００３５】
第２には、上記の第１の構成における電気的光源制御手段に代えて、
上記の貯蔵室８１の内部の状態を電気的に制御、例えば、温度状態を調節する圧縮冷凍機能部分５０をマイクロコンピュータによる制御部分６０で制御するとともに、この制御の制御状態にもとづいて、例えば、圧縮冷凍機能部分５０の運転状態または停止状態などに対応させて、上記の電気的光源、例えば、１つの電気的光源２１Ａまたは複数の電気的光源２１Ａ〜２１Ｅを制御する電気的光源制御手段
を設けて構成した上記の第２の構成を構成していることになるものである。
【００３６】
第３には、上記の第１の構成・第２の構成において、
上記の裏当部分Ｕ３を上記の扉８１Ａ・８１Ｂの一方の扉、例えば、扉８１Ｂの背面側８１ｂに転向可能に、例えば、転向機構３０によって転向可能に配置するとともに、上記の扉８１Ａ・８１Ｂを閉じた状態では上記の裏当部分Ｕ３を上記の扉８１Ａ・８１Ｂの背面部分８１ａ・８１ｂに裏当てにした状態にし、また、上記の扉８１Ａ・８１Ｂが開いた状態では、上記の裏当部分Ｕ３を上記の裏当てにした状態とは異なる方向、例えば、９０°程度の内側方向に転向するための転向機構３０を設けて構成した上記の第３の構成を構成していることになるものである。
【００３７】
そして、具体的には、複数の電気的光源２１Ａ〜２１Ｅを、例えば、図２または図３のように、配置して構成するものである。なお、図２・図３では、紙面の都合上、３つの電気的光源２１Ａ〜２１Ｃを配置しているが、必要に応じて、任意の数の電気的光源にして構成すればよいことは言うまでもない。そして、図２の〔円形光表示型〕のように発光部分を円形にした複数の電気的光源２１Ａ〜２１Ｃにして設ける場合には、例えば、図２における円頭状の発光ダイオード２１ａ〜２１ｃを、それぞれ、異なる発光色の発光ダイオードにして、所要数の発光ダイオードをその頭部が裏当部分Ｕ３の隙間ｇ１に相当する位置に配置されるように構成する。
【００３８】
また、図３の〔長四角形表示型〕のように長四角形にした複数の電気的光源２１Ａ〜２１Ｅにして設ける場合には、例えば、図３のように、複数の長四角形の導光板２２ａ〜２２ｃ、例えば、アクリル系合成樹脂板をその頭部が隙間ｇ１の部分に相当する位置に配置されるとともに、導光板２２ａ〜２２ｃの背面側に設けた各凹穴Ｇｘに、図２の発光ダイオード２１ａ〜２１ｃと同様の発光ダイオードの頭部を入れ込むことにより、導光板２２ａ〜２２ｃの頭部、すなわち、前面側に発光を導いて表示するように構成する。
【００３９】
さらに、単一の電気的光源２１Ａを設ける場合には、図２の電気的光源２１Ａの部分のみ、または、図３の電気的光源２１Ａの部分のみを配置するとともに、発光ダイオード２１ａを、例えば、発光ダイオードに与える電圧の大きさによって発光色が異なる構成の発光ダイオードにして構成するものである。
【００４０】
なお、こうした構成による１つの電気的光源２１Ａまたは複数の電気的光源２１Ａ〜２１Ｅに対する制御部６０からの配線（図示せず）は、例えば、本体８５の内部を通して、上方のヒンジ部分８１ｘの中心穴（図示せず）に導いた後に、この中心穴から扉８１Ｂの内部を通して、支点ｐ１の部分に設けた軸（図示せず）の中心穴に導き、さらに、この中心穴から目的とする電気的光源に導くように配線する。
【００４１】
〔第２実施例〕
以下、図２〜図４・図９により第２実施例を説明する。この第２実施例の構成が上記の第１実施例の構成と異なる箇所は、図３のように、第１実施例の構成における１つの電気的光源２１Ａまたは複数の電気的光源２１Ａ〜２１Ｅを設ける構成とその制御を行う構成とを図９の第６従来技術による〔扉付け固定裏当型〕の構成における裏当部分Ｕ２の箇所に適用して構成した箇所である。
【００４２】
なお、１つの電気的光源２１Ａまたは複数の電気的光源２１Ａ〜２１Ｅに対する制御部６０からの配線（図示せず）は、例えば、上記の第１実施例の構成と同様にして、扉８１Ｂの内部を通した後に、裏当部分Ｕ２に配置した目的とする電気的光源に導くように配線する。
【００４３】
したがって、この第２実施例の構成は、概括的には、第１には、上記の第１実施例の場合と同様に、上記の第１の構成・第２の構成における裏当部分を裏当部分Ｕ２とした構成を構成していることになるものである。
【００４４】
また、第２には、上記の第１の構成・第２の構成において、
上記の裏当部分Ｕ２を上記の扉８１Ａ・８１Ｂの一方の扉、例えば、扉８１Ｂの背面側８１ｂに固定して配置した上記の第５の構成を構成していることになるものである。
【００４５】
〔第３実施例〕
以下、図２・図３・図５・図７により第３実施例を説明する。この第３実施例の構成が上記の第１実施例の構成と異なる箇所は、図５のように、第１実施例の構成における１つの電気的光源２１Ａまたは複数の電気的光源２１Ａ〜２１Ｅを設ける構成とその制御を行う構成とを図７の第５従来技術による〔本体付け裏当型〕の構成における裏当部分Ｕ１の箇所に適用して構成した箇所である。
【００４６】
なお、１つの電気的光源２１Ａまたは複数の電気的光源２１Ａ〜２１Ｅに対する制御部６０からの配線（図示せず）は、例えば、本体８５の上面側の壁部を通して裏当部分Ｕ１の上端に導いた後に、目的とする電気的光源に導くように配線する。
【００４７】
したがって、この第３実施例の構成は、概括的には、第１には、上記の第１実施例の場合と同様に、上記の第１の構成・第２の構成における裏当部分を裏当部分Ｕ１とした構成を構成していることになるものである。
【００４８】
また、第２には、上記の第１の構成・第２の構成において、
上記の裏当部分Ｕ１を上記の貯蔵室８１の本体８５側に固定、例えば、観音開き貯蔵室８１の上面側の壁部８５Ａと下面側の壁部８５Ｂとの前縁部分に固定して配置した上記の第４の構成を構成していることになるものである。
【００４９】
〔変形実施〕
この発明は次のように変形して実施することを含むものである。
（１）上記の第１の構成〜第５の構成を物品を加温して貯蔵する観音開き貯蔵室８１を有する物品貯蔵庫１００の貯蔵室８１に適用して構成する。なお、この構成の場合には、圧縮冷凍機能部分５０を、例えば、ヒートポンプ作用を利用した加温機能部分または電熱を利用した加温機能部分などに変更して構成する。
【００５０】
（２）上記の第１の構成〜第５の構成を物品を殺菌または脱臭もしくはこれら両方を行って貯蔵する観音開き貯蔵室８１を有する物品貯蔵庫１００の貯蔵室８１に適用して構成する。
【００５１】
なお、この構成の場合には、圧縮冷凍機能部分５０と検出部分７１〜７４を、例えば、紫外線を放射する放電管による殺菌または脱臭もしくはこれら両方を行う機能部分と、例えば、貯蔵室内のイオン量やオゾン量を検出するための検出部分などに変更して構成する。
【００５２】
（３）電気的光源２１Ａ〜２１Ｅを任意の複数個に変更して構成する。
（４）複数の電気的光源２１Ａ〜２１Ｅのうちの１つまたは単一の電気的光源２１Ａによる表示によって全体の電源のＯＮ状態を表示するように構成する。
【００５３】
（５）貯蔵室８１の物品を比較的高い温度で加温する物品貯蔵庫１００の場合に、電気的光源２１Ａ〜２１Ｅを、ネオン放電管、アルゴン放電管、蛍光表示管などの高温に耐える電気的光源に変更して構成する。
【００５４】
【発明の効果】
この発明によれば、以上のように、観音開き貯蔵室の扉間の隙間を扉の背面側に裏当てした裏当部分で閉塞するとともに、この隙間の箇所に貯蔵室の状態やその状態の制御状態などを電気的光源による表示部分で表示しているので、これらの表示を行うために扉自体を加工したり、表示用のパネル部分を設ける必要がないので、物品貯蔵庫の構成を簡便安価にして提供できる。
【００５５】
また、扉間の隙間の箇所に電気的光源による表示部分を設けているため、こうした隙間の箇所は通常の外面箇所よりも暗いので、電気的光源の発光量を小さくしても十分に目視できるので、電気的光源の寿命を長くし得るとともに、電気的光源の電力消費量を低減し得るなどの特長が得られる効果がある。
【図面の簡単な説明】
図面中、図１〜図５はこの発明の実施例を、図６〜図１０は従来技術を示し、各図の内容は次のとおりである。
【図１】全体構成外観正面・要部横断平面図
【図２】要部構成内部斜視図
【図３】要部構成内部斜視図
【図４】全体構成外観斜視図
【図５】全体構成外観斜視図
【図６】全体構成外観斜視図
【図７】全体構成外観斜視図
【図８】全体構成外観斜視・要部横断平面図
【図９】全体構成外観斜視図
【図１０】全体構成外観斜視図
【符号の説明】
２１  表示部分
２１Ａ〜２１Ｅ  電気的光源
２１ａ〜２１ｃ  発光ダイオード
２２ａ〜２１ｃ  導光板
３０  転向機構
５０  機能部分
６０  制御部分
７１〜７４  検出部分
８１  貯蔵室
８１Ａ・８１Ｂ  扉
８１Ｃ  扉間
８１ａ・８１ｂ  背面側
８１ｘ  ヒンジ部分
８２  貯蔵室
８２Ａ  前蓋
８３  貯蔵室
８３Ａ  前蓋
８４  貯蔵室
８４Ａ  前蓋
８５  本体
８５Ａ  上面側壁部
８５Ｂ  下面側壁部
１００  物品貯蔵庫
Ｂ１  幅
Ｂｘ  幅
Ｇｘ  凹穴
ｇ１  隙間
ｍ１  案内溝
ｎ１  案内用突起
ｐ１  支点
Ｔｘ  整理棚
Ｕ１  裏当部分
Ｕ２  裏当部分
Ｕ２ａ  裏当部分
Ｕ２ｂ  裏当部分
Ｕ３  裏当部分
【図１】
2004360985.tif 000003
【図２】
2004360985.tif 000004
【図３】
2004360985.tif 000005
【図４】
2004360985.tif 000006
【図５】
2004360985.tif 000007
【図６】
2004360985.tif 000008
【図７】
2004360985.tif 000009
【図８】
2004360985.tif 000010
【図９】
2004360985.tif 000011
【図１０】
2004360985.tif 000012